【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
撮像素子を備え、被写体像を撮像して画像データを出力する撮像手段と、
露出を調整する調整手段と、
前記撮像素子から出力される信号に基づく画像データが飽和している場合に、露出を少なくして飽和を解消し、前記撮像素子から出力される入射光の最大レベルに相当する信号レベルを検出する検出手段と、
露出を少なくする場合に、露出を変更する複数の方法のうちで、露出の変更指示に対して応答速度の速い方法を優先して用いるように前記調整手段を制御する制御手段と、を備え、
前記調整手段は、露出を変更する前のダイナミックレンジと設定可能な最大のダイナミックレンジとに基づいて、飽和を解消するように露出を調整することを特徴とする撮像装置。
【請求項２】
前記調整手段は、露出を変更する前のダイナミックレンジと前記設定可能な最大ダイナミックレンジとに基づいて、飽和を解消するためのダイナミックレンジの変更量を算出し、当該ダイナミックレンジの変更に基づいて飽和を解消するための露出を調整することを特徴とする請求項１に記載の撮像装置。
【請求項３】
前記露出を変更する複数の方法は、絞り値の変更、ＮＤフィルターの挿抜、電子シャッター速度の変更、の１つ以上を含むことを特徴とする請求項１又は２に記載の撮像装置。
【請求項４】
前記応答速度の速い方法が、電子シャッター速度の変更であることを特徴とする請求項３に記載の撮像装置。
【請求項５】
照明光のフリッカーを検出するフリッカー検出手段をさらに備え、前記制御手段は、前記電子シャッター速度をフリッカーの発生しない電子シャッター速度に制御するとともに、目標とする電子シャッター速度と前記フリッカーの発生しない電子シャッター速度との差分に対応する露出の変化を前記露出を変更する複数の方法のうちの電子シャッター速度の変更以外の方法により補うことを特徴とする請求項４に記載の撮像装置。
【請求項６】
前記フリッカー検出手段は前記照明光のフリッカーの周期を検出し、前記検出手段は前記フリッカー検出手段により検出された前記フリッカーの周期の複数周期分の前記画像データの測光値を平均して、前記入射光の最大レベルに相当する信号レベルを検出することを特徴とする請求項５に記載の撮像装置。
【請求項７】
前記画像データに階調補正を行う階調補正手段と、該階調補正手段により前記画像データを階調補正して得られた表示画像を表示する表示手段とをさらに備え、前記制御手段は、前記調整手段による露出の変更により引き起こされる前記表示画像の変化を抑制するように前記階調補正の特性を変更することを特徴とする請求項１乃至６のいずれか１項に記載の撮像装置。
【請求項８】
前記制御手段は、前記露出を少なくした後の前記表示画像の、前記露出を少なくする前の前記表示画像とほぼ同じ部分が飽和するように、前記階調補正の特性を変更することを特徴とする請求項７に記載の撮像装置。
【請求項９】
前記検出手段は、前記撮像手段の画面内を複数の領域に分割し、該複数の領域のそれぞれの信号の中から最大値を検出することを特徴とする請求項１乃至８のいずれか１項に記載の撮像装置。
【請求項１０】
前記検出手段により検出された前記最大値と、前記調整手段により露出を少なくする前のダイナミックレンジで表現できる信号の最大値との差分を算出する算出手段をさらに備え、前記制御手段は、前記差分を前記表示手段に表示させることを特徴とする請求項９に記載の撮像装置。
【請求項１１】
前記制御手段は、前記露出を変更する複数の方法のうちで、第１優先の方法以外の方法を用いる場合には、該第１優先の方法以外の方法に関するパラメータの現状値を予め定めた注意喚起色で表示することを特徴とする請求項１０に記載の撮像装置。
【請求項１２】
撮像素子を備え、被写体像を撮像して画像データを出力する撮像手段と、
露出を調整する調整手段と、
前記撮像素子から出力される信号に基づく画像データが飽和している場合に、露出を少なくして飽和を解消し、前記撮像素子から出力される入射光の最大レベルに相当する信号レベルを検出する検出手段と、
前記調整手段により前記撮像手段の露出を少なくする場合に、露出を変更する複数の方法のうちで優先して用いる方法をユーザーの指示により選択する選択手段と、を備え、
前記調整手段は、露出を変更する前のダイナミックレンジと設定可能な最大のダイナミックレンジとに基づいて、飽和を解消するように露出を調整することを特徴とする撮像装置。
【請求項１３】
前記調整手段は、露出を変更する前のダイナミックレンジと前記設定可能な最大ダイナミックレンジとに基づいて、飽和を解消するためのダイナミックレンジの変更量を算出し、当該ダイナミックレンジの変更に基づいて飽和を解消するための露出を調整することを特徴とする請求項１２に記載の撮像装置。
【請求項１４】
前記露出を変更する複数の方法は、絞り値の変更、ＮＤフィルターの挿抜、電子シャッター速度の変更、の１つ以上を含むことを特徴とする請求項１２又は１３に記載の撮像装置。
【請求項１５】
前記画像データに階調補正を行う階調補正手段と、該階調補正手段により前記画像データを階調補正して得られた表示画像を表示する表示手段とをさらに備え、前記制御手段は、前記調整手段による露出の変更により引き起こされる前記表示画像の変化を抑制するように前記階調補正の特性を変更することを特徴とする請求項１２乃至１４のいずれか１項に記載の撮像装置。
【請求項１６】
前記制御手段は、前記露出を少なくした後の前記表示画像の、前記露出を少なくする前の前記表示画像とほぼ同じ部分が飽和するように、前記階調補正の特性を変更することを特徴とする請求項１５に記載の撮像装置。
【請求項１７】
前記検出手段は、前記撮像手段の画面内を複数の領域に分割し、該複数の領域のそれぞれの信号の中から最大値を検出することを特徴とする請求項１２乃至１６のいずれか１項に記載の撮像装置。
【請求項１８】
前記検出手段により検出された前記最大値と、前記調整手段により露出を少なくする前のダイナミックレンジで表現できる信号の最大値との差分を算出する算出手段をさらに備え、当該差分は、前記表示手段に表示されることを特徴とする請求項１７に記載の撮像装置。
【請求項１９】
撮像素子を備え、被写体像を撮像して画像データを出力する撮像装置を制御する方法であって、
露出を調整する調整工程と、
前記撮像素子から出力される信号に基づく画像データが飽和している場合に、露出を少なくして飽和を解消し、前記撮像素子から出力される入射光の最大レベルに相当する信号レベルを検出する検出工程と、
露出を少なくする場合に、露出を変更する複数の方法のうちで、露出の変更指示に対して応答速度の速い方法を優先して用いるように前記調整手段を制御する制御工程と、を有し、
前記調整工程では、露出を変更する前のダイナミックレンジと設定可能な最大のダイナミックレンジとに基づいて、飽和を解消するように露出を調整することを特徴とする撮像装置の制御方法。
【請求項２０】
撮像素子を備え、被写体像を撮像して画像データを出力する撮像装置を制御する方法であって、
露出を調整する調整工程と、
前記撮像素子から出力される信号に基づく画像データが飽和している場合に、露出を少なくして飽和を解消し、前記撮像素子から出力される入射光の最大レベルに相当する信号レベルを検出する検出工程と、
前記調整手段により前記撮像素子の露出を少なくする場合に、露出を変更する複数の方法のうちで優先して用いる方法をユーザーの指示により選択する選択工程と、を有し、
前記調整工程では、露出を変更する前のダイナミックレンジと設定可能な最大のダイナミックレンジとに基づいて、飽和を解消するように露出を調整することを特徴とする撮像装置の制御方法。
【請求項２１】
請求項１９または２０に記載の制御方法の各工程をコンピュータに実行させるためのプログラム。
【手続補正２】
【補正対象書類名】明細書
【補正対象項目名】００１２
【補正方法】変更
【補正の内容】
【００１２】
本発明に係わる撮像装置は、撮像素子を備え、被写体像を撮像して画像データを出力する撮像手段と、露出を調整する調整手段と、前記撮像素子から出力される信号に基づく画像データが飽和している場合に、露出を少なくして飽和を解消し、前記撮像素子から出力される入射光の最大レベルに相当する信号レベルを検出する検出手段と、露出を少なくする場合に、露出を変更する複数の方法のうちで、露出の変更指示に対して応答速度の速い方法を優先して用いるように前記調整手段を制御する制御手段と、を備え、前記調整手段は、露出を変更する前のダイナミックレンジと設定可能な最大のダイナミックレンジとに基づいて、飽和を解消するように露出を調整することを特徴とする。
また、本発明に係わる撮像装置は、撮像素子を備え、被写体像を撮像して画像データを出力する撮像手段と、露出を調整する調整手段と、前記撮像素子から出力される信号に基づく画像データが飽和している場合に、露出を少なくして飽和を解消し、前記撮像素子から出力される入射光の最大レベルに相当する信号レベルを検出する検出手段と、前記調整手段により前記撮像手段の露出を少なくする場合に、露出を変更する複数の方法のうちで優先して用いる方法をユーザーの指示により選択する選択手段と、を備え、前記調整手段は、露出を変更する前のダイナミックレンジと設定可能な最大のダイナミックレンジとに基づいて、飽和を解消するように露出を調整することを特徴とする。